(57)【要約】【課題】クライアントでのウェブコンテンツのブックマーク設定方法及び装置に関し、ユーザが有益なウェブコンテンツを必要なときに最も良いタイミングで取り出すことができるようにする。【解決手段】センサによって検出された現在の状態が所定の条件を満たすとき、すでに登録したブックマークの内、該所定の条件に対応したブックマークを、所定のフォルダに自動的にコピー又は移動させる。【選択図】　　　図１
2004070441.tif 000002
【特許請求の範囲】
【請求項１】
クライアントでのウェブコンテンツのブックマーク設定方法において、
センサによって検出された該クライアントの現在の状態が所定の条件を満たすとき、既に登録したブックマークの内、該所定の条件に対応したブックマークを、所定のフォルダに自動的にコピー又は移動させることを特徴としたブックマーク設定方法。
【請求項２】
請求項１において、
該所定の条件が、サーバから受信したウェブコンテンツより該クライアントで抽出したキーワードに基づいて該ウェブコンテンツに対応して自動的に設定された、時間、場所、及び状況の内の少なくともいずれか一つに一致するか否かを示すＴＰＯ条件であることを特徴としたブックマーク設定方法。
【請求項３】
請求項１において、
該所定の条件が、該クライアントで予めウェブコンテンツに対応して設定された、時間、場所、及び状況の内の少なくともいずれか一つに一致するか否かを示すＴＰＯ条件であることを特徴としたブックマーク設定方法。
【請求項４】
請求項１において、
該所定の条件が、サーバで予めウェブコンテンツに対応して設定された、時間、場所、及び状況の内の少なくともいずれか一つに一致するか否かを示すＴＰＯ条件であることを特徴としたブックマーク設定方法。
【請求項５】
自装置の現在の状態を検出するセンサと、
ウェブコンテンツに対するブックマーク、所定の条件、及び所定のフォルダを記憶する記憶装置と、
該現在の状態が該所定の条件を満たすとき、既に該記憶装置に記憶したブックマークの内、該所定の条件に対応したブックマークを、該所定のフォルダに自動的にコピー又は移動させる処理装置と、
を備えたことを特徴とするブックマーク設定装置。
【発明の詳細な説明】
【０００１】
【発明の属する技術分野】
本発明はブックマーク設定方法及び装置に関し、特にサービス提供者（サーバ）に対する端末ユーザ（クライアント）におけるブックマーク設定方法及び装置に関するものである。
【０００２】
サービス提供者はネットワークを介してウェブコンテンツ（ウェブページ）、を提供し、端末ユーザは、パソコンや携帯電話機並びにＰＤＡ（Ｐｅｒｓｏｎａｌ　Ｄｉｇｉｔａｌ　Ａｓｓｉｓｔａｎｔｓ）などにより該ウェブコンテンツを閲覧し検索することができるが、この場合の端末ユーザの情報アクセスに関する使い勝手をより向上させることが望まれている。
【０００３】
また、サービス提供者である企業にとってもリアルタイムマーケティング（最も効果的なタイミングでサービスを提供するマーケティング手法）を手軽に実現することが望ましい。
【０００４】
【従来の技術】
現在のパソコン、携帯電話機、又はＰＤＡなどのクライアントにおいては、情報の取得はインターネットを介した情報発信サーバへのアクセスによって行われている。クライアントでの情報の表示やアクセスのためのインタフェースは、ウェブブラウザと呼ばれる端末搭載のソフトウェアによって行われ、そのようなアクセスのための便利な機能としてブックマーク機能と呼ばれるものがクライアントに設けられているのが一般的である。
【０００５】
すなわち、クライアントにおいてユーザがアクセスしたウェブコンテンツ（ウェブページ）がユーザにとって便利なものであると考えた場合には、そのウェブコンテンツのＵＲＬ（Ｕｎｉｆｏｒｍ　Ｒｅｓｏｕｒｃｅ　Ｌｏｃａｔｏｒ）をブックマークとして保持しておくことが可能である。そして、保持したブックマークはユーザが作成したフォルダにジャンル毎に整理しておくことができる。
【０００６】
【発明が解決しようとする課題】
このようにフォルダ内に保持しておくブックマーク自体の増加やジャンルの増加に伴って、欲しいときに欲しいブックマークを探すのに手間が掛かるという問題がある。
【０００７】
また、サービスを提供する企業においても、単にユーザのアクセスを待ってコンテンツをユーザに提供するよりも、もっと積極的にサービスのコンテンツをユーザに提供したいという希望がある。またサービス提供の最も進んだ形は上記のようなリアルタイムマーケティングである。このようなリアルタイムマーケティングは、時間、場所、状況に合わせて最適なタイミングでサービスをユーザに提供するものである。
【０００８】
例えば、レストランのサービスコンテンツを遠方の人間に２週間前に提供したとしても意味が無い。また、ユーザがお昼時にレストランの側を通ったときに、ふとそのレストランの情報を知りたいというようなときに、そのレストラン或いは周辺のレストランに関するＵＲＬがタイミング良く取り出し易い位置にあると便利である。
【０００９】
逆に、多数のブックマークやジャンルに埋もれていてそのレストランに関するＵＲＬを引き出すのに手間が掛かれば調べるのに面倒を感じる。
このように定常的にコンテンツを提供するのではなく、必要なときに最も良いタイミングでコンテンツを提供するのがリアルタイムマーケティングの優れた点である。
【００１０】
ユーザの立場では、リアルタイムマーケティングの恩恵を考えると、例えばユーザが東京駅に着いたとき、新幹線のホームはどこか知りたい場合がある。　　このようなとき、東京駅の構内情報を提供してくれるＵＲＬを即座に知ることができれば非常に便利である。
【００１１】
一方、従来の技術では、知っているＵＲＬのポータルサイトにまずアクセスし、東京駅の構内情報の検索をかける。そして検索された複数の候補を逐一調べて行くか、或いは過去にブックマークした数百のブックマークから関連したＵＲＬを引っ張り出さなくてはならない。
【００１２】
このように、従来のブックマーク機能は便利ではあるが、ユーザにとっては必ずしも便利ではなかった。
従って本発明は、クライアントでのウェブコンテンツのブックマーク設定方法及び装置において、▲１▼ユーザが有益なウェブコンテンツを必要なときに最も良いタイミングで取り出すことができること、▲２▼真に有益な情報の意味付けをユーザが行えること、▲３▼サービス提供者の立場からリアルタイムマーケティングが実現できるようにすること、を目的とする。
【００１３】
【課題を解決するための手段】
［１］上記の目的を達成するため、本発明に係るブックマーク設定方法は、センサによって検出された該クライアントの現在の状態が所定の条件を満たすとき、既に登録したブックマークの内、該所定の条件に対応したブックマークを、所定のフォルダに自動的にコピー又は移動させることを特徴としたものである。
【００１４】
すなわち本発明では、特に上記の目的▲１▼を達成するため、センサによってクライアントの現在の状態を絶えず検出しておき、この現在の状態が所定の条件を満たすときには、既に登録した沢山あるブックマークの中からその所定の条件に対応したブックマーク、すなわち欲しいブックマークのみが自動的に所定のフォルダにコピーするか又は移動させるようにしている。
【００１５】
従って、ユーザは、例えば、終電が気になる時間に駅に近づくと、その所定フォルダに終電情報に関するブックマークがコピー又は移動されているという具合に、その所定フォルダにアクセスするだけで最も必要とされるウェブコンテンツに素早くアクセスすることが可能となる。
【００１６】
［２］上記の所定の条件は、サーバから受信したウェブコンテンツより該クライアントで抽出したキーワードに基づいて該ウェブコンテンツに対応して自動的に設定された、時間、場所、及び状況の内の少なくともいずれか一つに一致するか否かを示すＴＰＯ条件を用いることができる。これにより上記の目的▲２▼を達成する。
【００１７】
これを図１を用いて説明する。今、ユーザが位置するクライアントＣＬＴが、ブラウザ経由でネットワークＮＷ上のＨＴＭＬなどで記述されたウェブコンテンツにアクセスすると、サーバＳＲＶは、図示のようなウェブコンテンツＷＣ「×××レストラン，イタリアンのお店，営業時間：○○○，休日：月曜日」を送信して来るので、クライアントＬＣＴはこのウェブコンテンツＷＣをＨＴＴＰプロトコルを用いて獲得する。
【００１８】
このとき、クライアントＣＬＴは獲得したウェブコンテンツＷＣを検索し、図示のようなキーワード検索結果ＫＷＲ「×××，レストラン，イタリアン，営業日，休日，月曜日」を獲得する。なお、このようなウェブコンテンツの検索やキーワードの分類は公知の技術を用いることができる。
【００１９】
このようなキーワード検索結果ＫＷＲから、ウェブコンテンツＷＣの性質を規定し、ウェブコンテンツの属性情報としてデータベースに蓄積する。キーワードは、時間に関する情報、場所に関する情報、状況（シチュエーション）に関する情報などに所定の条件として自動的に整理され、クライアントの現在の状態がこれらの所定の条件を満たすとき、すなわち図示のように所定の条件ＣＮＤ「場所：×××レストラン；時間：月曜日以外；状況：レストランに近づいたら」に一致した場合、所定のフォルダにブックマークをコピー又は移動させる。
【００２０】
この場合、現在の状態に関する情報は、クライアントＣＬＴが搭載するセンサを用いることによって入手し、場所に関する情報の場合には例えばＧＰＳ機能、時刻に関する情報はクライアントＣＬＴの時計機能、そして状況に関する情報は、場所に関する情報と時刻に関する情報を組み合わせる他、温度センサや湿度センサ、画像センサなどの情報をさらに組み合わせて生成することができる。
【００２１】
なお、これらは表などによって管理され、ブックマークとリンクされ管理される。表の形態はＸＭＬのような記述言語であっても良いし、Ｃ言語のようなプログラミング言語やテキストデータのようなものでも良い。
［３］上記の所定の条件としては、該クライアントで予めウェブコンテンツに対応して設定された、時間、場所、及び状況の内の少なくともいずれか一つに一致するか否かを示すＴＰＯ条件でも良い。これにより上記の目的▲２▼を達成する。
【００２２】
すなわち、上記［２］の場合には、サーバから受信したウェブコンテンツに基づいてＴＰＯ条件を設定したが、クライアントにおいて予めこのようなＴＰＯ条件を設定しておいても良いことを示している。
［４］さらに上記の所定の条件としては、サーバ側で予めウェブコンテンツに対応して設定された、時間、場所、及び状況の内の少なくともいずれか一つに一致するか否かを示すＴＰＯ条件でも良い。これにより上記の目的▲３▼を達成する。
【００２３】
すなわち、上記［２］の場合にはサーバから受信したウェブコンテンツより所定の条件をクライアント側で自動的に設定したが、サーバ側で予めウェブコンテンツに対応してＴＰＯ条件を設定しておいても良いことを示している。
［５］上記［４］においてサーバで設定されたＴＰＯ条件がそのウェブコンテンツと共にクライアントに送信されたとき、これを受信したクライアントでは、該ＴＰＯ条件を満たすブックマークを検出し、該所定フォルダにコピー又は移動させることができる。これにより上記の目的▲３▼を達成する。
【００２４】
すなわち、サーバからＴＰＯ条件と共に受信したウェブコンテンツを、ユーザはサーバ側のサービス提供者のリアルタイムマーケティングに根ざしたサービスを享受することが可能となる。
［６］さらに上記の所定の条件としては、サーバから受信したウェブコンテンツにより該クライアントで抽出したキーワードに基づいて該ウェブコンテンツに対応して自動的に設定された、時間、場所、及び状況の内の少なくともいずれか一つに一致するか否かを示すＴＰＯ条件と、該クライアントで予め該ウェブコンテンツに対応して設定された、時間、場所、及び状況の中の少なくともいずれか一つに一致するか否かを示すＴＰＯ条件と、該サーバーで予め該ウェブコンテンツに対応して設定された、時間、場所、及び状況の内の少なくともいずれか一つに一致するか否かを示すＴＰＯ条件を組合せたＴＰＯ条件とすることもできる。これにより上記の目的▲１▼〜▲３▼を解決する。
【００２５】
すなわち、上記［１］の本発明において、上記［２］〜［４］における所定の条件を組み合わせたＴＰＯ条件とすることが可能である。
例えば、悪意のあるサービス提供者が設定したＴＰＯ条件により、いつでもどこでもどんな状況でも所定フォルダにコピー又は移動してしまうような状況が考えられる。或いは、サービス提供者が意図するＴＰＯ条件がユーザでは不満であることも考えられる。ユーザが最も適したＴＰＯ条件を設定することによってこうした問題に対処することができ、より便利な所定フォルダをカスタマイズすることができる。
【００２６】
［７］上記のサーバは、該ＴＰＯ条件及びウェブコンテンツを所定アドレスのクライアントにプッシュ配信することができる。これにより上記の目的▲３▼を達成する。すなわち上記の場合にはユーザからアクセスがあった場合を前提としてウェブコンテンツやＴＰＯ条件をユーザに送信するのに対し、本発明の場合は、いわゆるプッシュ配信を行うものであり、サービス提供者が指定したＴＰＯ条件とウェブコンテンツをクライアントにプッシュ配信する。
【００２７】
従来のプッシュサーバは、主にメールをユーザ端末に送り付けて来るので、場合によっては読むのが手間なほど多量のメールが受信される場合があり、情報があまりにも多く情報に埋もれて本当にユーザが必要な情報がどれだか分からず、また情報提供者も十分なマーケティング効果を得ることができなかった。
【００２８】
そこで、本発明ではＴＰＯ条件とウェブコンテンツを所定のアドレスのクライアントにプッシュ配信し、条件が満たされた最適なタイミングで情報を提供することにより、十分なマーケティング効果を得るようにしたものである。
［８］上記の場合において、該ＴＰＯ条件及びウェブコンテンツを該サーバから受信したときに、該クライアント側でユーザに対し該ウェブコンテンツをブックマークするか否かを問い合わせし、該ユーザがブックマークしたウェブコンテンツのみに対して該ＴＰＯ条件が満たされた時に該所定フォルダに該ブックマークをコピー又は移動させることができる。これにより上記の目的▲１▼及び▲２▼を達成する。
【００２９】
すなわち、上記［７］の本発明においてＴＰＯ条件とウェブコンテンツとを受信したときに、クライアント側においてこれをブックマーク化するかどうかをユーザに問い合わせる機能を設けたものである。
これは、送り付ける全てのウェブコンテンツをブックマーク化すると所定フォルダにコピー又は移動するブックマークも増加することとなり、本来の所定フォルダのメリットが消えてしまうので、ユーザが必要とするもののみブックマーク化することによって所定フォルダのメリットを維持しようとするものである。
【００３０】
なお、ブックマークをするか否かの問い合わせは、クライアントのディスプレイなどの装置を用いればよい。
［９］或いは、該ＴＰＯ条件及びウェブコンテンツを該サーバから受信したときに、該クライアント側で予め設定したブックマーク条件を満たすウェブコンテンツのみ自動的にブックマーク化することができる。これにより上記の目的▲１▼及び▲２▼を達成する。
【００３１】
すなわち、上記［８］の本発明は上記［７］の本発明を自動化するための発明であるが、ユーザへの問合せが時と場合によっては多くなってしまい、一々答えるのが面倒な状況が考えられるので前以ってブックマーク化の条件をクライアントに設定しておくことによりブックマークをするか否かを自動的に決定しようとするものである。
【００３２】
なお、サーバは、ＴＰＯ条件及びウェブコンテンツの他にサービス種別なども送信することができるので、ユーザが或る特定のサービスだけ享受したい場合には、そのサービスだけを受信する設定を行うことによってブックマーク化するウェブコンテンツに制限をかけることが可能となる。また、ＴＰＯ条件なども合わせて活用すればより細かい設定が可能となる。
【００３３】
［１０］上記［８］又は［９］において、該ブックマークをしておく期限をクライアント又はサーバの側から設定しておき、該期限が過ぎると、該ブックマークの削除を促すメッセージをユーザに通知するか、又は自動的に削除することができる。これにより上記▲１▼〜▲３▼の目的を達成する。
【００３４】
本発明の場合も強制的にサーバから送信されるブックマークが多くなり過ぎるのを防ぐ発明であり、ブックマーク毎に期限を設け、期限が過ぎるとブックマークを削除するものである。これにより、いつも最新のブックマークのみをクライアントに取得することが可能となる。
【００３５】
［１１］上記［１０］において、該ＴＰＯ条件に加えて、該クライアント側で新たに設定したＴＰＯ条件を組み合わせた新たなＴＰＯ条件を設定することができる。これにより上記の目的▲２▼を達成する。
本発明の場合は上記［６］の本発明と同様に、ＴＰＯ条件をユーザが好むものに設定するための機能を設けたものである。クライアント側のユーザは、独自のＴＰＯ条件をブックマークに設定してもいいし、サービス提供者が設定したＴＰＯ条件をユーザ独自のＴＰＯ条件とを組み合わせ、新たなＴＰＯ条件を設定することができる。
【００３６】
［１２］上記［１１］において、該複数のＴＰＯ条件に対し、該クライアント側で優先度を設定し、該優先度の高いものから、所定個数だけ該所定フォルダにコピー又は移動させ、該優先度でソートすることができる。これにより上記の目的▲２▼を達成する。
【００３７】
すなわち本発明は、所定フォルダへコピー又は移動するブックマークの数を制限するための機能を設けたものであり、例えば、あるＴＰＯ条件が満たされたときに１０００個ものブックマークが所定フォルダにコピー又は移動したとすると、結局欲しい情報を１０００個のブックマークから探すことになり、本末転倒である。
【００３８】
そこで、ＴＰＯ条件との適合度を定義し、適合度の高い順にユーザが設定する最大個数だけのブックマークを所定フォルダにコピー又は移動させ、以って有用なブックマークのみを所定フォルダにコピー又は移動させようとするものである。［１３］上記の本発明において、ＴＰＯ条件を満たさなくなったとき、自動的に所定フォルダの該当ブックマークを削除又は移動元のフォルダに再移動させても良い。これにより上記の目的▲１▼及び▲２▼を達成する。
【００３９】
本発明は、ＴＰＯ条件が満たされたことによってコピー又は移動させるブックマークをＴＰＯ条件が満たされない状況になったときに、コピーしたブックマークの削除、或いはコピー又は移動元のフォルダに再コピー又は移動させようとするものである。
【００４０】
ＴＰＯ条件が満たされたことによって、ブックマークがコピー又は移動しても、これらが削除或いは元のフォルダに戻らずに新たなブックマークがいくつも所定フォルダにコピー又は移動すると、所定フォルダがブックマークで溢れてしまうことになる。
【００４１】
ここで、ＴＰＯ条件を満たさない、つまり役にたたないブックマークを削除或いはコピー又は移動元に再コピー又は移動させることによってこの問題を解決しようとしたものである。
［１４］上記［１］のブックマーク設定方法を実施する装置として、本発明は自装置の現在の状態を検出するセンサと、ウェブコンテンツに対するブックマーク、所定の条件、及び所定のフォルダを記憶する記憶装置と、該現在の状態が該所定の条件を満たすとき、既に該記憶装置に記憶したブックマークの内、該所定の条件に対応したブックマークを、該所定のフォルダに自動的にコピー又は移動させる処理装置と、を備えている。
【００４２】
すなわち、記憶装置はウェブコンテンツに対するブックマーク、所定の条件、及び所定のフォルダを記憶しており、処理装置は、センサが検出した自装置（クライアント）の現在の状態と、記憶装置に記憶されている所定の条件とを比較し、両者が一致したとき、やはり記憶装置に記憶されているブックマークを該所定のフォルダに自動的にコピーするか又は移動させるようにしている。
【００４３】
これにより、上記［１］と同様に、クライアントのユーザは、所定フォルダにアクセスするだけで最も必要とされるウェブコンテンツに素早くアクセスすることができる。
［１５］上記の処理装置は、該所定の条件として、サーバから受信部を介して受信したウェブコンテンツより抽出したキーワードに基づいて該ウェブコンテンツに対応して自動的に設定された、時間、場所、及び状況の内の少なくともいずれか一つに一致するか否かを示すＴＰＯ条件を生成して該記憶装置に記憶することができる。
【００４４】
［１６］また上記の処理装置は、該所定の条件として、予め該ウェブコンテンツに対応して設定された、時間、場所、及び状況の内の少なくともいずれか一つに一致するか否かを示すＴＰＯ条件を生成して該記憶装置に記憶することができる。
［１７］さらに上記の処理装置は、該所定の条件として、サーバで予めウェブコンテンツに対応して設定された、時間、場所、及び状況の内の少なくともいずれか一つに一致するか否かを示すＴＰＯ条件を生成して該記憶装置に記憶することができる。
【００４５】
［１８］上記のＴＰＯ条件を該サーバから受信部を介して受信したとき、該処理装置が、該ＴＰＯ条件を満たしたブックマークを、該所定フォルダにコピー又は移動させることができる。
［１９］さらに上記の処理装置は、該所定の条件として、サーバから受信部を介して受信したウェブコンテンツより抽出したキーワードに基づいて該ウェブコンテンツに対応して自動的に設定された、時間、場所、及び状況の内の少なくともいずれか一つに一致するか否かを示すＴＰＯ条件と、予め該ウェブコンテンツに対応して設定された、時間、場所、及び状況の内の少なくともいずれか一つに一致するか否かを示すＴＰＯ条件と、該サーバで予ウェブコンテンツに対応して設定された、時間、場所、及び状況の内の少なくともいずれか一つに一致するか否かを示すＴＰＯ条件を組み合わせたＴＰＯ条件を生成して該記憶装置に記憶することができる。
【００４６】
［２０］上記のＴＰＯ条件及びウェブコンテンツは、該サーバからプッシュ配信することができる。
［２１］さらに上記の処理装置は、該ＴＰＯ条件及びウェブコンテンツを該サーバから受信したときに、ユーザに対し該ウェブコンテンツをブックマークするか否かを問い合わせし、該ユーザがブックマークしたウェブコンテンツのみに対して該ＴＰＯ条件が満たされた時に該所定フォルダに該ブックマークをコピー又は移動させることができる。
【００４７】
［２２］さらに上記処理装置は、該ＴＰＯ条件及びウェブコンテンツを該サーバから受信したときに、予め設定したブックマーク条件を満たすウェブコンテンツのみ自動的にブックマーク化することができる。
［２３］さらに上記の処理装置は、該ブックマークをしておく期限を自ら又はサーバからの指示により設定しておき、該期限が過ぎると、該ブックマークの削除を促すメッセージをユーザに通知するか、又は自動的に削除することができる。
【００４８】
［２４］さらに上記の処理装置は、該ＴＰＯ条件に加えて、ユーザが新たに設定したＴＰＯ条件を組み合わせた新たなＴＰＯ条件を設定することができる。
［２５］さらに上記の処理装置は、該複数のＴＰＯ条件に対し、ユーザが設定した優先度の高いものから、所定個数だけ該所定フォルダにコピー又は移動させ、該優先度でソートすることができる。
【００４９】
［２６］さらに上記の処理装置は、該ＴＰＯ条件が設定した条件でなくなると、自動的に該所定フォルダの該当ブックマークを削除又は移動元のフォルダに再移動させることができる。
【００５０】
【発明の実施の形態】
実施例（１）
図２は、本発明に係るブックマーク設定方法を実施するための装置の構成実施例（１）を示したもので、この場合のブックマーク設定装置はユーザが位置するクライアントにおいて設けられたものである。
【００５１】
この実施例では、大きく分けて処理装置１と記憶装置２とセンサ部３とで構成されており、処理装置１はインタフェースＡＰＩ（Ａｐｐｌｉｃａｔｉｏｎ　Ｐｒｏｇｒａｍｍｉｎｇ　Ｉｎｔｅｒｆａｃｅ）によって内蔵するソフトウェアが呼び出されるようになっている。なお、このような構成は、ブラウザのプラグインソフトウェアとして実現されても良いし、専用ハードウェアで構成されていても良い。或いはこれらのハイブリッドな形態でも良い。
【００５２】
処理装置１はキーワード検索部１１とキーワードマッチング部１２とキーワード候補マッチング部１３とＴＰＯ条件設定部１４とＴＰＯ条件判定部１５とで構成されている。
また記憶装置２は、データ受信部２１とキーワード表格納部２２とキーワード候補表格納部２３とＵＲＬ・ＴＰＯ条件格納部２４とＴＰＯフォルダ２５とを含んでいる。
【００５３】
さらにセンサ部３は、位置に関する情報を検出するＧＰＳセンサ３１と時刻に関する情報を与える時計３２と、自装置（クライアント）の状況を検出するためのジャイロ３３とを含んでいる。
このような実施例（１）の動作例を図３〜図６を参照して以下に説明する。
【００５４】
まず、記憶装置２におけるデータ受信部２１はサーバ（図１参照）からウェブコンテンツを受信する（図３のステップＳ１）。
この場合の受信データＲＤであるウェブコンテンツＷＣの一例が図４（１）に示されている。
【００５５】
このようにして受信したウェブコンテンツＷＣに関し、処理装置１におけるキーワード検索部１１はそのウェブコンテンツＷＣの中からキーワードを抽出する（同ステップＳ２）。
この場合、図４の例では、キーワードＫＷとして「レストラン」、「イタリアン」、「代官山」、「映画」などが抽出されることになる。
【００５６】
そして、キーワードマッチング部１２は、抽出したキーワードＫＷの中でキーワード表格納部２２に格納されているキーワード表ＫＷＴとのマッチングを行う（同ステップＳ３）。
図４の例ではキーワード表ＫＷＴとして「交通」、「レストラン」、「映画」がヒットすることになる。
【００５７】
図４（２）には、二つのキーワード表ＫＷＴ１及びＫＷＴ２が得られたことが示されており、キーワード表ＫＷＴ１の場合には、キーワード「レストラン」として、「ジャンル」、「場所」、「価格」、「営業時間」、「電話番号」などの項目を有し、またキーワード表ＫＷＴ２の場合にはキーワード「映画」として、さらに項目「タイトル」が加わっている。
【００５８】
このようにして得られたキーワード表ＫＷＴ１及びＫＷＴ２に関し、キーワード候補マッチング部１３は、キーワード表ＫＷＴ１及びＫＷＴ２の各項目について、キーワード候補表格納部２３に予め格納されているキーワード候補表ＫＷＣＴ１及びＫＷＣＴ２からキーワードに該当するものをウェブコンテンツＷＣから抽出して各項目に埋込みを行う（同ステップＳ４）。
【００５９】
すなわち、キーワード表ＫＷＴ１「レストラン」における「ジャンル」をキーワードとするキーワード候補表ＫＷＣＴ１は、“イタリアン”、“中華”、“フレンチ”、“エスニック”・・・を含んでいる。
そして、図４（１）に示したウェブコンテンツＷＣと付き合わせることにより、その「ジャンル」として“イタリアン”が抽出され且つその項目に埋め込まれることになる。
【００６０】
同様にしてキーワード候補表ＫＷＣＴ１の「場所」に関しては、“代官山”が該当し、これのキーワード表ＫＷＴ１の「場所」に“代官山”として埋め込まれることになる。キーワード候補表ＫＷＣＴ２の場合は、「タイトル」に“ローマの休日”がヒットし埋め込まれている。
【００６１】
そして、ＴＰＯ条件設定部１４は、埋められた項目が一定数以上のキーワード表を選択して、その中からＴＰＯ条件をそのウェブコンテンツＷＣのＵＲＬと共に設定する（同ステップＳ５）。
すなわち、図５に示すように、キーワード表ＫＷＴ１及びＫＷＴ２の内、キーワードを「レストラン」とするキーワード表ＫＷＴ１が「ジャンル」及び「場所」において計２つの項目が埋め込まれ、これが予め設定した閾値（２項目）を越えているので、これに基づいてＴＰＯ条件ＣＮＤが設定され、他方のキーワード表ＫＷＴ２はＴＰＯ条件ＣＮＤには設定されない。
【００６２】
このときのＴＰＯ条件ＣＮＤは、「場所」について“代官山”、「状況」について“レストランに近づいたとき”が設定され、尚且つこのときのウェブコンテンツＷＣのＵＲＬ“ｈｔｔｐ／／ｗｗｗ．ａｂｃ”がＴＰＯ条件と共に設定されることとなる。
このようにして設定されたＴＰＯ条件ＣＮＤは記憶装置２におけるＵＲＬ・ＴＰＯ条件格納部２４に格納される。
【００６３】
以上までの説明で実施例（１）におけるクライアント（端末ユーザ）でのＴＰＯ条件の自動設定が終了する。この後の動作が図６に示されている。
まずＴＰＯ条件判定部１５は、ＴＰＯ条件設定部１４により設定され、ＵＲＬ・ＴＰＯ条件格納部２４に格納されたＴＰＯ条件と、センサ部３から得られた現在の状態、すなわちＧＰＳセンサ３１による位置の情報と時計３２による時間の情報とジャイロ３３による状況に関する情報とを比較する（図６のステップＳ６）。
【００６４】
そして、ＴＰＯ条件判定部１５は、両者が一致したか否か、すなわちＴＰＯ条件が満たされたか否かを判定し（同ステップＳ７）、ＴＰＯ条件が満たされたことが分かったときには、これに該当するウェブコンテンツＷＣのブックマーク（ＵＲＬ）を記憶装置２におけるＴＰＯフォルダ２５にコピーするか又は移動させる（同ステップＳ８）。
【００６５】
この結果、図５に示すＴＰＯ条件ＣＮＤの場合には、「場所」が“代官山”であり、「状況」が“レストランに近づいたとき”という条件が満たされたとき、ＴＰＯフォルダ２５にそのブックマークが自動的にコピー又移動されることになる。
実施例（２）
上記の実施例（１）において、ＴＰＯ条件はサーバから受信したウェブコンテンツに基づいて自動的に設定されたが、この実施例（２）ではクライアント側のユーザが任意のＴＰＯ条件を手動設定できるようにしたものである。
【００６６】
すなわち、この実施例（２）の場合にはやはりクライアントとしての端末に設置されるものであるが、この場合の記憶装置２はＵＲＬ・ＴＰＯ条件格納部２４とＴＰＯフォルダ２５のみが設けられており、また処理装置４にはユーザＴＰＯ条件設定部４１とＴＰＯ条件判定部１５とが設けられている点が図２の実施例（１）と異なっている。
【００６７】
このような実施例（２）の動作例を図８により以下に説明する。
すなわち、ユーザが閲覧しているウェブコンテンツをブックマーク化するときにインタフェースＡＰＩを通じてＴＰＯ条件設定部４１を呼び出し、ＴＰＯ条件を手動設定する（図８のステップＳ１１）。
【００６８】
例えば、東京駅の構内地図に関するウェブサイトをブックマーク化する際にＴＰＯ条件を設定すると、
時間：任意
場所：東京駅構内
状況：現在位置＝場所
となる。
【００６９】
このようにして設定されたＴＰＯ条件は、そのウェブコンテンツのＵＲＬと共にＵＲＬ・ＴＰＯ条件格納部２４に格納される（同ステップＳ１２）。
従って、この実施例においても図６の動作例に従い、クライアントのＧＰＳセンサ３１で検出した現在位置が東京駅構内の場合に、ブックマークがＴＰＯフォルダ２５にコピー又は移動されることとなる。なお、「状況」の設定は、設定された時間、場所の情報とクライアントのセンサ部３の入力を組み合せた形で実現することができる。
【００７０】
実施例（３）
この実施例では、今度はサーバ側から上記のようなＴＰＯ条件をクライアントに送信して設定するものである。
図９には、本発明の実施例（３）としてサーバ側の構成例が示されている。なお、クライアント側の構成は図１１について後述する。
【００７１】
図９に示すようにサーバ側の構成例は、ＴＰＯ条件設定部５０を有する処理装置５と、コンテンツ・ＴＰＯ条件格納部２６０を有する記憶部２０と、クライアント側との通信を行うクライアント通信部６とで構成されている。
このような実施例（３）の動作例が図１０に示されており、以下これに沿って説明する。
【００７２】
まずサーバ管理者は、ブラウザなどを経由してインタフェースＡＰＩを通じてＴＰＯ条件設定部５０によりＴＰＯ条件を設定する（図１０のステップＳ２１）。
そして、このように設定されたＴＰＯ条件をＵＲＬ及びそのウェブコンテンツと共にコンテンツ・ＴＰＯ条件格納部２６０に格納する（同ステップＳ２２）。
【００７３】
この後、クライアントからアクセスがあると、クライアント通信部６が記憶装置２０におけるコンテンツ・ＴＰＯ条件格納部２６０から上記のＴＰＯ条件とＵＲＬとウェブコンテンツを取り出し、クライアントに送信する（同ステップＳ２３）。
このようにして、サービスを提供する側がアクセスして欲しいＴＰＯの条件を設定することによってサービス提供者が意図する最適な時間、場所、状況でサービスを提供（リアルタイムマーケティング）することが可能となる。
【００７４】
実施例（４）
この実施例は、図９及び図１０に示した実施例（３）のサーバに対するクライアントの構成例を示したものである。
すなわち、この実施例（４）においては、記憶装置２にデータ受信部２１とＵＲＬ・ＴＰＯ条件格納部２４とＴＰＯフォルダ２５とが設けられており、また図２における処理装置１及び図７における処理装置４に対応する処理装置７においてはＴＰＯ条件抽出部７１とＴＰＯ条件判定部１５とが設けられている。
【００７５】
このような実施例（４）の動作例を図１２に沿って以下に説明する。
まずユーザは、ブラウザなどを経由してインタフェースＡＰＩを通じて閲覧しているウェブコンテンツのブックマーク化を実行する（図１２のステップＳ３１）。
そして、ＴＰＯ条件抽出部７１は、サーバから受信したＴＰＯ条件をそのウェブコンテンツのＵＲＬと共にＵＲＬ・ＴＰＯ条件格納部２４に格納する（同ステップＳ３２）。
【００７６】
この後、ＴＰＯ条件判定部７２では、ＵＲＬ・ＴＰＯ条件格納部２４に格納されているＴＰＯ条件が満たされたか否かをセンサ部３からの検出信号に基づいて判定し、ＴＰＯ条件が満たされたと判定した場合には該当するウェブコンテンツのブックマークをＴＰＯフォルダ２５にコピーするか又は移動させる（同ステップＳ３３）。
【００７７】
実施例（５）
この実施例は、ＴＰＯ条件を自動設定する実施例（１）と、ユーザ設定する実施例（２）と、サーバ設定する実施例（３），（４）とを組み合わせたものである。
すなわち、処理装置１と記憶装置２は図２に示した実施例（１）と同様の構成を有し、さらにセンサ部３も同じものを用いている。そして、さらにインタフェースＡＰＩを介してブラウザなどに接続される処理装置８が、図１１に示した実施例（４）におけるＴＰＯ条件抽出部７１と、図７に示した実施例（２）におけるユーザＴＰＯ条件設定部４１とを有し、さらにこれらの条件の組合せを設定する条件組合せ設定部８１とを備えている。
【００７８】
なお、これはクライアントの構成を示すものであり、これに対応するサーバ側は図９に示した実施例（３）の構成を用いることができる。
この実施例において、図２に示した実施例（１）は、処理装置１と記憶装置２とセンサ部３の組合せで実施することができ、図７に示した実施例（２）の場合には処理装置８におけるユーザＴＰＯ条件設定部４１及び条件組合せ設定部８１と、記憶装置２におけるＵＲＬ・ＴＰＯ条件格納部２４と、処理装置１におけるＴＰＯ条件判定部１５及びＴＰＯフォルダ２５と、センサ部３とで実行することができる。
【００７９】
さらに図９及び図１１に示す実施例（３）及び（４）の場合には、処理装置８におけるＴＰＯ条件抽出部７１と、処理装置１におけるＴＰＯ条件判定部１５と、記憶装置２におけるデータ受信部２１、ＵＲＬ・ＴＰＯ条件格納部２４、及びＴＰＯフォルダ２５と、センサ部３とで実施することができる。
【００８０】
そして処理装置８における条件組合せ設定部８１は上記の自動設定ＴＰＯ条件、ユーザ設定ＴＰＯ条件、及びサーバ設定ＴＰＯ条件のいずれを選択すべきかを設定したものであり、これに基づいてＴＰＯ条件がＵＲＬ・ＴＰＯ条件格納部２４に格納されることになる。
【００８１】
図１４には、この場合のＵＲＬ・ＴＰＯ条件格納部２４の構成例が示されており、このＵＲＬ・ＴＰＯ条件格納部２４は、実施例（１）のための自動設定ＴＰＯ条件格納部２４１と、実施例（２）に対するユーザ設定ＴＰＯ条件格納部２４２と、実施例（３）及び（４）に対するサーバ設定ＴＰＯ条件格納部２４３とを備えており、上記の条件組合せ設定部８１での設定内容に基づき、これらの３つの条件を組み合わせるため、ＴＰＯ条件組合せ格納部２４０を設けている。このＴＰＯ条件組合せ格納部２４０には、所定の論理式が格納されている。
【００８２】
例えば実施例（１）の場合の自動設定条件と実施例（２）のユーザ設定条件と実施例（３）及び（４）のサーバ設定条件の論理式を採用したければ、
組合せ＝自動設定条件ＡＮＤユーザ設定条件ＡＮＤサーバ設定条件
の論理式が条件組合せ設定部８１により設定され、ＵＲＬ・ＴＰＯ条件格納部２４に格納されている。
【００８３】
このようにして、ユーザが最も適した条件設定を行うことによって種々の状況に対応したＴＰＯ条件を設定することが可能となる。
実施例（６）
上記の実施例（３）及び（４）の場合には、クライアントからのアクセスがあった場合にウェブコンテンツ及びそのＵＲＬ並びにＴＰＯ条件をクライアントに送信するものであるが、本実施例（６）の場合にはいわゆるプッシュ配信を行う方式を採用している。
【００８４】
図１５はこのようなプッシュ配信を行うためのサーバの構成例を示したものであり、記憶装置２０は、実施例（３）と同様にコンテンツ・ＴＰＯ条件格納部２６０を有すると共に、配信先アドレス格納部２７０を備えている。
また、処理装置５はサーバＴＰＯ条件設定部５０に加えて記憶装置２０のコンテンツ・ＴＰＯ条件格納部２６０と配信先アドレス格納部２７０に接続されたプッシュ配信部５１を有している。
【００８５】
さらに、記憶部２０はネットワークＮＷを介してユーザ管理サーバ１０に接続されている。
このような実施例（６）の動作例（１）を図１６に沿って以下に説明する。
まず、サーバ管理者は、ブラウザなどを経由してインタフェースＡＰＩを通じてサーバＴＰＯ条件設定部５０でＴＰＯ条件を上記の実施例（３）と同様に設定する（図１６のステップＳ４１）。設定されたＴＰＯ条件は、ブックマークすべきＵＲＬ及びコンテンツと共に記憶装置２０におけるコンテンツ・ＴＰＯ条件格納部２６０に格納する（同ステップＳ４２）。
【００８６】
処理装置５におけるプッシュ配信部５１は、クライアントからの要求の有無に関わらず、配信先アドレス格納部２７０に格納されているアドレスのクライアントに対して、コンテンツ・ＴＰＯ条件格納部２６０に格納されているＴＰＯ条件とＵＲＬとウェブコンテンツを読み出してプッシュ配信を行う（同ステップＳ４３）。
【００８７】
なお、配信先アドレス格納部２７０における配信先アドレスは、ネットワークＮＷ上の他のサーバ（例えばユーザ管理サーバ１０）からアドレスを取得することも可能である。
この場合、プッシュサーバは、ＵＲＬとウェブコンテンツとＴＰＯ条件のみをクライアントに送信するので、従来のプッシュサーバのように読むのが手間なほどのメールが受信されることがなく、効率良くＴＰＯ条件を得ることができる。
【００８８】
図１７はこの実施例（６）の動作例（２）を示したものである。この動作例の場合には、ＴＰＯ条件とＵＲＬとウェブコンテンツを受信したときに、これをブックマーク化するかどうかをクライアントに問い合わせるようにしたものであり、以下、図１７に沿って説明する。
【００８９】
まずクライアントにおいて、プッシュ配信サーバから送られて来たＴＰＯ条件とＵＲＬとウェブコンテンツをデータ受信部で受信する（図１７のステップＳ５１）。
そして、ブックマーク化を許可するか否かをユーザに問い合わせる（同ステップＳ５２）。この結果、ユーザはブックマーク化を許可する場合のみ（同ステップＳ５３）、ＵＲＬ・ＴＰＯ条件格納部２４にＴＰＯ条件とＵＲＬとウェブコンテンツを格納する（同ステップＳ５４）。
【００９０】
そして、図６に示した動作例と同様に、ＴＰＯ条件が満たされているか否かを監視し（同ステップＳ５５）、ＴＰＯ条件を満足していれば（同ステップＳ５６）、ＴＰＯフォルダ２５にブックマークをコピー又は移動させる（同ステップＳ５７）。
なお、上記のステップＳ５２、Ｓ５３は、図１５には図示されていないが、後述する図２３のブックマーク判定部８２で実行することができる。
【００９１】
ステップＳ５３の処理で、プッシュ配信した場合のブックマーク化されたウェブコンテンツが増加し過ぎてしまい、ＴＰＯフォルダのメリットが無くなってしまう欠点を解消させている。
図１８は実施例（６）のさらに別の動作例（３）を示したものであり、この実施例ではユーザが一々ブックマーク化の許可を回答するのが面倒な場合に対応するため、前以ってブックマーク化条件をクライアント側に設定しておくものである。以下、図１８に沿って説明する。
【００９２】
まず、クライアントにおいて予めブックマーク化する条件を設定しておく（図１８のステップＳ６１）。
下記の表１は、ブックマーク化条件を示しており、サーバから受信したＴＰＯ条件が合致するか否かの判定をこの表に従って行い、合致する場合にはブックマーク化を行い、合致しない場合にはブックマーク化を行わないようにしている。
【００９３】
【表１】
2004070441.tif 000003
【００９４】
そして、上記のようにプッシュ配信サーバから送られて来たＴＰＯ条件＋ＵＲＬ＋ウェブコンテンツをデータ受信部で受信する（同ステップＳ６２）。この結果、設定したブックマーク化条件に該当するか否かを判定し（同ステップＳ６３）、該当する場合のみ、ＵＲＬ・ＴＰＯ条件格納部２４にＴＰＯ条件とＵＲＬとウェブコンテンツを格納する（同ステップＳ６４）。
【００９５】
この後、ステップＳ６５〜Ｓ６７において、図１７のステップＳ５５〜Ｓ５７と同様にして該当するブックマークをＴＰＯフォルダ２５にコピー又は移動させる。
実施例（７）
この実施例は、図１９に示すように、図１３に示した実施例（５）において、処理装置１にＴＰＯ優先度・期限判定部１６を加え、さらに処理装置８においてブックマーク判定部８２を加えたものである。
【００９６】
図２０は、図１９に示した実施例（７）の動作例（１）を示したもので、この実施例では、強制的にプッシュ配信されるブックマークが多くなりすぎるのを防ぐため、ブックマーク毎に期限を設け、期限が過ぎるとブックマークを削除するようにしたものである。以下、図２０に沿って説明する。
【００９７】
まず、ステップＳ７１及びＳ７２においては、図１８の実施例（６）におけるステップＳ６１及びＳ６２と同様のステップを実行する。ただし、ステップＳ７１では「期限」も設定しておく。
そして、実施例（６）の動作例（２）及び（３）を含めた形でブックマーク化条件に該当するか又はブックマーク判定部８２によりユーザが許可するかを判定する。すなわち、ステップＳ７３においてはユーザ設定条件に一致しないものは即座に捨てるのではなくユーザにブックマーク化するか否かを問い合わせ、ステップＳ７４において、設定したブックマーク化条件に該当する場合であるか又はユーザが許可したものであるかを判定する。
【００９８】
この結果、設定したブックマーク化条件に該当するか又はユーザが許可した場合にはＵＲＬ・ＴＰＯ条件格納部２４にＴＰＯ条件とＵＲＬとウェブコンテンツを格納する（同ステップＳ７５）。
そしてさらに、ＴＰＯ条件判定部１５及びＴＰＯ優先度・期限判定部１６により、それぞれ、ＴＰＯ条件が満たされているか及びユーザが設定した期限を過ぎていないかを監視する（同ステップＳ７６）。
【００９９】
この結果、ＴＰＯ条件を満たすが、設定期限を過ぎている場合には、該当ブックマークの期限切れを通知するか又は削除し（ステップＳ７７及びＳ７８）、ＴＰＯ条件を満たし且つ設定期限を過ぎていない場合のみ該当ブックマークをＴＰＯフォルダ２５にコピー又は移動させる（ステップＳ７７及びＳ７９）。これ以外の場合にはステップＳ７７からステップＳ７６に戻る。
【０１００】
このようにしていつも最新のブックマークのみをクライアント側にストックすることが可能となる。
図２１は、上記の実施例（７）の動作例（２）を示したもので、この動作例の場合には、上記の実施例（５）の場合と同様にＴＰＯ条件の組合せを設定したものである。従ってユーザは独自のＴＰＯ条件をブックマークに設定しても良いし、サービス提供者が設定したＴＰＯ条件をユーザ独自のＴＰＯ条件と組み合わせ、新たなＴＰＯ条件を作成しても良いものである。
【０１０１】
すなわち図２１に示すように、この動作例（２）と図２０に示した動作例（１）との相違点は、ステップＳ７２とＳ７３との間に、ステップＳ８０を設け、ユーザが新規のＴＰＯ条件を設定したり或いはサーバで設定したＴＰＯ条件と組み合わせたＴＰＯ条件を設定するようにした点が異なっている。
【０１０２】
すなわち、サーバで設定されたＴＰＯ条件は処理装置８におけるＴＰＯ条件抽出部７１で抽出され、ユーザが新たにユーザＴＰＯ設定部４１で設定したＴＰＯ条件と条件組合せ設定部８１において組み合わせられ、この状態でブックマーク化の可否をステップＳ７３で問い合わせようとするものである。
【０１０３】
図２２は、実施例（７）のさらに別の動作例（３）を示したものであり、この場合においても、ＴＰＯフォルダ２５へコピー又は移動させるブックマークの数を制限するために、一定個数のブックマークを優先的にコピー又は移動させようとするものである。
【０１０４】
すなわち図示のように、この動作例（３）は図２１に示した動作例（２）におけるステップＳ７２の代わりにステップＳ７２０を用い、ステップＳ８０の代わりにステップＳ８１、さらにステップＳ７９の代わりにステップＳ７９０を用いている点が異なっている。
すなわちステップＳ７２０においては、プッシュ配信サーバ或いはウェブサーバから送られて来たＴＰＯ条件とＵＲＬとウェブコンテンツをデータ受信部で受信するとき、それぞれの組合せに関して優先度を自動的に設定しておく。
【０１０５】
この場合の優先度の一例が下記の表２に示されている。
【０１０６】
【表２】
2004070441.tif 000004
【０１０７】
すなわちこの表２の（１）は、現在のブックマーク化されているものと、その優先度、現在ＴＰＯフォルダ２５にコピー又は移動されているか否かのフラグを示したものである。
このようにして、ブックマーク化されているものに対する優先度を設定した後、ステップＳ８１においては、上記の動作例（２）におけるステップＳ８０と同様にユーザのＴＰＯ条件を新たに組み合わせると共に、ユーザが上記の優先度並びにＴＰＯフォルダへの移動個数を設定するか又は自動設定が行われる。
【０１０８】
上記の表２における（２）は、この場合のＴＰＯフォルダへのコピー又は移動中の個数を示しており最大コピー数又は移動数も同時に与えらえている。
この後、ステップＳ７３〜ステップＳ７８は上記の動作例（２）と同様に実行されるが、ステップＳ７７においてＴＰＯ条件を満たし且つ設定期限を過ぎていない場合には、ステップＳ７９０において、該当するブックマークをＴＰＯフォルダ２５にコピー又は移動させると共に、ＴＰＯ優先度・期限判定部１６がステップＳ７２０で自動設定した優先度でこれらのブックマークをソートするようにしている。
【０１０９】
すなわち、ＴＰＯ条件との優先度を定義し、優先度の高い順にユーザが設定した最大個数だけのブックマークをＴＰＯフォルダにコピー又は移動させ、以って有用なブックマークのみをＴＰＯフォルダ２５に残すことが可能となる。
実施例（８）
この実施例は、図１９に示した実施例（７）において、処理装置１にＴＰＯ条件監視部１７を設けた点が異なっている。
【０１１０】
すなわち、この実施例の場合にはＴＰＯ条件が満たされたことによってコピー又は移動させるブックマークをＴＰＯ条件が満たされない状況になったときにコピーしたブックマークの削除又はコピー又は移動元のフォルダに再コピー又は移動させるようにしたものである。
【０１１１】
図２４はこの実施例（８）の動作例を示したものであり、図２２の動作例（３）に対して、ステップＳ７９０の後にステップＳ８２を設けた点が異なっている。
すなわち、ＴＰＯ条件を満たさなくなった場合には該当するブックマークをＴＰＯフォルダ２５から削除するか或いは元のフォルダに移動させている。
【０１１２】
これは、ＴＰＯ優先度・期限判定部１６において、現在コピー又は移動中のブックマークの内、ＴＰＯ条件監視部１７において条件に合わないと判定されたものがコピー又は移動元のフォルダにコピー又は移動させたことを示している。
（付記１）クライアントでのウェブコンテンツのブックマーク設定方法において、
センサによって検出された該クライアントの現在の状態が所定の条件を満たすとき、既に登録したブックマークの内、該所定の条件に対応したブックマークを、所定のフォルダに自動的にコピー又は移動させることを特徴としたブックマーク設定方法。
（付記２）付記１において、
該所定の条件が、サーバから受信したウェブコンテンツより該クライアントで抽出したキーワードに基づいて該ウェブコンテンツに対応して自動的に設定された、時間、場所、及び状況の内の少なくともいずれか一つに一致するか否かを示すＴＰＯ条件であることを特徴としたブックマーク設定方法。
（付記３）付記１において、
該所定の条件が、該クライアントで予めウェブコンテンツに対応して設定された、時間、場所、及び状況の内の少なくともいずれか一つに一致するか否かを示すＴＰＯ条件であることを特徴としたブックマーク設定方法。
（付記４）付記１において、
該所定の条件が、サーバで予めウェブコンテンツに対応して設定された、時間、場所、及び状況の内の少なくともいずれか一つに一致するか否かを示すＴＰＯ条件であることを特徴としたブックマーク設定方法。
（付記５）付記４において、
該ＴＰＯ条件が対応するウェブコンテンツと共に該サーバから該クライアントに送信され、これを受信した該クライアントで、該ＴＰＯ条件を満たすブックマークを検出し、該所定フォルダにコピー又は移動させることを特徴としたブックマーク設定方法。
（付記６）付記１において、
該所定の条件として、サーバから受信したウェブコンテンツより該クライアントで抽出したキーワードに基づいて該ウェブコンテンツに対応して自動的に設定された、時間、場所、及び状況の内の少なくともいずれか一つに一致するか否かを示すＴＰＯ条件と、該クライアントで予め該ウェブコンテンツに対応して設定された、時間、場所、及び状況の内の少なくともいずれか一つに一致するか否かを示すＴＰＯ条件と、該サーバで予め該ウェブコンテンツに対応して設定された、時間、場所、及び状況の内の少なくともいずれか一つに一致するか否かを示すＴＰＯ条件を組み合わせたＴＰＯ条件であることを特徴としたブックマーク設定方法。
（付記７）付記４において、
該サーバが、該ＴＰＯ条件及びウェブコンテンツを所定アドレスのクライアントにプッシュ配信することを特徴とするブックマーク設定方法。
（付記８）付記７において、
該ＴＰＯ条件及びウェブコンテンツを該サーバから受信したときに、該クライアント側でユーザに対し該ウェブコンテンツをブックマークするか否かを問い合わせし、該ユーザがブックマークしたウェブコンテンツのみに対して該ＴＰＯ条件が満たされた時に該所定フォルダに該ブックマークをコピー又は移動させることを特徴としたブックマーク設定方法。
（付記９）付記７において、
該ＴＰＯ条件及びウェブコンテンツを該サーバから受信したときに、該クライアント側で予め設定したブックマーク条件を満たすウェブコンテンツのみ自動的にブックマーク化することを特徴としたブックマーク設定方法。
（付記１０）付記８又は９において、
該ブックマークをしておく期限をクライアント又はサーバの側から設定しておき、該期限が過ぎると、該ブックマークの削除を促すメッセージをユーザに通知するか、又は自動的に削除することを特徴とするブックマーク設定方法。
（付記１１）付記１０において、
該ＴＰＯ条件に加えて、該クライアント側で新たに設定したＴＰＯ条件を組み合わせた新たなＴＰＯ条件を設定することを特徴としたブックマーク設定方法。
（付記１２）付記１１において、
該複数のＴＰＯ条件に対し、該クライアント側で優先度を設定し、該優先度の高いものから、所定個数だけ該所定フォルダにコピー又は移動させ、該優先度でソートすることを特徴としたブックマーク設定方法。
（付記１３）付記２から１２のいずれか一つにおいて、
該ＴＰＯ条件を満たさなくなったとき、自動的に該所定フォルダの該当ブックマークを削除又は移動元のフォルダに再移動させることを特徴としたブックマーク設定方法。
（付記１４）
自装置の現在の状態を検出するセンサと、
ウェブコンテンツに対するブックマーク、所定の条件、及び所定のフォルダを記憶する記憶装置と、
該現在の状態が該所定の条件を満たすとき、既に該記憶装置に記憶したブックマークの内、該所定の条件に対応したブックマークを、該所定のフォルダに自動的にコピー又は移動させる処理装置と、
を備えたことを特徴とするブックマーク設定装置。
（付記１５）付記１４において、
該処理装置が、該所定の条件として、サーバから受信部を介して受信したウェブコンテンツより抽出したキーワードに基づいて該ウェブコンテンツに対応して自動的に設定された、時間、場所、及び状況の内の少なくともいずれか一つに一致するか否かを示すＴＰＯ条件を生成して該記憶装置に記憶することを特徴としたブックマーク設定装置。
（付記１６）付記１４において、
該処理装置が、該所定の条件として、予め該ウェブコンテンツに対応して設定された、時間、場所、及び状況の内の少なくともいずれか一つに一致するか否かを示すＴＰＯ条件を生成して該記憶装置に記憶することを特徴としたブックマーク設定装置。
（付記１７）付記１４において、
該処理装置が、該所定の条件として、サーバで予めウェブコンテンツに対応して設定された、時間、場所、及び状況の内の少なくともいずれか一つに一致するか否かを示すＴＰＯ条件を生成して該記憶装置に記憶することを特徴としたブックマーク設定装置。
（付記１８）付記１７において、
該ＴＰＯ条件を該サーバから受信部を介して受信したとき、該処理装置が、該ＴＰＯ条件を満たしたブックマークを、該所定フォルダにコピー又は移動させることを特徴としたブックマーク設定装置。
（付記１９）付記１４において、
該処理装置が、該所定の条件として、サーバから受信部を介して受信したウェブコンテンツより抽出したキーワードに基づいて該ウェブコンテンツに対応して自動的に設定された、時間、場所、及び状況の内の少なくともいずれか一つに一致するか否かを示すＴＰＯ条件と、予め該ウェブコンテンツに対応して設定された、時間、場所、及び状況の内の少なくともいずれか一つに一致するか否かを示すＴＰＯ条件と、該サーバで予ウェブコンテンツに対応して設定された、時間、場所、及び状況の内の少なくともいずれか一つに一致するか否かを示すＴＰＯ条件を組み合わせたＴＰＯ条件を生成して該記憶装置に記憶することを特徴としたブックマーク設定装置。
（付記２０）付記１７において、
該ＴＰＯ条件及びウェブコンテンツが、該サーバからプッシュ配信されたものであることを特徴とするブックマーク設定装置。
（付記２１）付記２０において、
該処理装置は、該ＴＰＯ条件及びウェブコンテンツを該サーバから受信したときに、ユーザに対し該ウェブコンテンツをブックマークするか否かを問い合わせし、該ユーザがブックマークしたウェブコンテンツのみに対して該ＴＰＯ条件が満たされた時に該所定フォルダに該ブックマークをコピー又は移動させることを特徴としたブックマーク設定装置。
（付記２２）付記２０において、
該処理装置は、該ＴＰＯ条件及びウェブコンテンツを該サーバから受信したときに、予め設定したブックマーク条件を満たすウェブコンテンツのみ自動的にブックマーク化することを特徴としたブックマーク設定装置。
（付記２３）付記２１又は２２において、
該処理装置は、該ブックマークをしておく期限を自ら又はサーバからの指示により設定しておき、該期限が過ぎると、該ブックマークの削除を促すメッセージをユーザに通知するか、又は自動的に削除することを特徴とするブックマーク設定装置。
（付記２４）付記２３において、
該処理装置は、該ＴＰＯ条件に加えて、ユーザが新たに設定したＴＰＯ条件を組み合わせた新たなＴＰＯ条件を設定することを特徴としたブックマーク設定装置。
（付記２５）付記２４において、
該処理装置は、該複数のＴＰＯ条件に対し、ユーザが設定した優先度の高いものから、所定個数だけ該所定フォルダにコピー又は移動させ、該優先度でソートすることを特徴としたブックマーク設定装置。
（付記２６）付記１５から２５のいずれか一つにおいて、
該処理装置は、該ＴＰＯ条件を満たさなくなったとき、自動的に該所定フォルダの該当ブックマークを削除又は移動元のフォルダに再移動させることを特徴としたブックマーク設定装置。
【０１１３】
【発明の効果】
以上説明したように本発明に係るブックマーク設定方法及び装置によれば、センサによって検出された現在の状態が所定の条件を満たすとき、すでに登録したブックマークの内、該所定の条件に対応したブックマークを、所定のフォルダに自動的にコピー又は移動させるように構成したので、ユーザ及びサービス提供者に以下のメリットをもたらす。
【０１１４】
（１）ユーザに対して
溢れる情報の中から真に有益な情報を引き出すことができ、ユーザが置かれている時間、場所、状況に対応して真に有益な情報を入手することが可能となる。（２）サービス提供者に対して
また本発明では、上記の所定の条件として、サーバ側から設定し、これをクライアント側で受信して所定の条件に対応したブックマークを、所定のフォルダに自動的にコピー又は移動させることもできるので、サービス提供者にとって真に有益な情報をユーザに最も効果的に提供することが可能となる。特に顧客が真に望む情報を望むときにジャストオンタイムで提供することが可能となり、高い確率でマーケティングを成功に導く真のリアルタイムマーケティングが実現される。
【図面の簡単な説明】
【図１】本発明に係るブックマーク設定方法及び装置の概念を説明するための図である。
【図２】本発明に係るブックマーク設定方法及び装置の構成を示した実施例（１）（クライアント側）を示したブロック図である。
【図３】本発明の実施例（１）の動作例（１）を示したフローチャート図である。
【図４】本発明の実施例（１）の動作概念説明図である。
【図５】本発明の実施例（１）でのＴＰＯ条件の設定例を示した図である。
【図６】本発明の実施例（１）の動作例（２）を示したフローチャート図である。
【図７】本発明に係るブックマーク設定方法及び装置の構成における実施例（２）（クライアント側）を示したブロック図である。
【図８】本発明の実施例（２）の動作例を示したフローチャート図である。
【図９】本発明に係るブックマーク設定方法及び装置の構成における実施例（３）（サーバ側）を示したブロック図である。
【図１０】本発明の実施例（３）の動作例を示したフローチャート図である。
【図１１】本発明に係るブックマーク設定方法及び装置の構成における実施例（４）（クライアント側）を示したブロック図である。
【図１２】本発明の実施例（４）の動作例を示したフローチャート図である。
【図１３】本発明に係るブックマーク設定方法及び装置の構成における実施例（５）（クライアント側）を示したブロック図である。
【図１４】本発明の実施例（５）に用いられるＵＲＬ・ＴＰＯ条件格納部の構成例を示した図である。
【図１５】本発明に係るブックマーク設定方法及び装置の構成における実施例（６）（サーバ側）を示したブロック図である。
【図１６】本発明の実施例（６）の動作例（１）を示したフローチャート図である。
【図１７】本発明の実施例（６）の動作例（２）を示したフローチャート図である。
【図１８】本発明の実施例（６）の動作例（３）を示したフローチャート図である。
【図１９】本発明に係るブックマーク設定方法及び装置の構成における実施例（７）（クライアント側）を示したブロック図である。
【図２０】本発明の実施例（７）の動作例（１）を示したフローチャート図である。
【図２１】本発明の実施例（７）の動作例（２）を示したフローチャート図である。
【図２２】本発明の実施例（７）の動作例（３）を示したフローチャート図である。
【図２３】本発明に係るブックマーク設定方法及び装置の構成における実施例（８）（クライアント側）を示したブロック図である。
【図２４】本発明の実施例（８）の動作例を示したフローチャート図である。
【符号の説明】
１，４，５，７，８　　処理装置
２　　記憶装置
３　　センサ部
１０　ユーザ管理サーバ
１１　キーワード検索部
１２　キーワードマッチング部
１３　キーワード候補マッチング部
１４　ＴＰＯ条件設定部
１５　ＴＰＯ条件判定部
１６　ＴＰＯ優先度・期限判定部
１７　ＴＰＯ条件監視部
２０　記憶装置
２１　データ受信部
２２　キーワード表格納部
２３　キーワード候補表格納部
２４　ＵＲＬ・ＴＰＯ条件格納部
２５　ＴＰＯフォルダ
３１　ＧＰＳセンサ
３２　時計
３３　ジャイロ
４１　ユーザＴＰＯ条件設定部
５０　サーバＴＰＯ条件設定部
５１　プッシュ配信部
７１　ＴＰＯ条件抽出部
８１　条件組合せ設定部
８２　ブックマーク判定部
２４０　　ＴＰＯ条件組合せ格納部
２４１　　自動設定ＴＰＯ条件格納部
２４２　　ユーザ設定ＴＰＯ条件格納部
２４３　　サーバ設定ＴＰＯ条件格納部
２６０　　コンテンツ・ＴＰＯ条件格納部
２７０　　配信先アドレス格納部
ＣＬＴ　　クライアント
ＳＲＶ　　サーバ
ＷＣ　ウェブコンテンツ
ＫＷＲ　　キーワード検索結果
ＣＮＤ　　所定（ＴＰＯ）条件
ＲＤ　受信データ
ＫＷ，ＫＷＴ１，ＫＷＴ２　キーワード
ＫＷＣＴ１，ＫＷＣＴ２　　キーワード候補表
ＮＷ　ネットワーク
図中、同一符号は同一又は相当部分を示す。
【図１】
2004070441.tif 000005
【図２】
2004070441.tif 000006
【図３】
2004070441.tif 000007
【図４】
2004070441.tif 000008
【図５】
2004070441.tif 000009
【図６】
2004070441.tif 000010
【図７】
2004070441.tif 000011
【図８】
2004070441.tif 000012
【図９】
2004070441.tif 000013
【図１０】
2004070441.tif 000014
【図１１】
2004070441.tif 000015
【図１２】
2004070441.tif 000016
【図１３】
2004070441.tif 000017
【図１４】
2004070441.tif 000018
【図１５】
2004070441.tif 000019
【図１６】
2004070441.tif 000020
【図１７】
2004070441.tif 000021
【図１８】
2004070441.tif 000022
【図１９】
2004070441.tif 000023
【図２０】
2004070441.tif 000024
【図２１】
2004070441.tif 000025
【図２２】
2004070441.tif 000026
【図２３】
2004070441.tif 000027
【図２４】
2004070441.tif 000028